(57)【要約】【課題】部屋の配置変更や、敷地形状に対応させた建物の平面形状の変更を容易に行うことができる建物を提供する。【解決手段】構造強度的に独立している４つの構造体１〜４を、平面視において建物の略中央部回りに、互いに離間して配置し、４つの構造体１〜４を連結部５によって連結することによって、部屋の配置変更や、敷地形状に対応させた建物の平面形状の変更を容易に行うことができる。【選択図】図１
2005256528.tif 000002
【特許請求の範囲】
【請求項１】
立方体または直方体の箱状をなす４つの構造体が、平面視において建物の略中央部回りに、互いに離間してかつ隣り合う構造体が平行になるように配置され、さらに、４つの構造体が連結部によって連結されていることを特徴とする建物。
【請求項２】
請求項１に記載の建物において、
４つの前記構造体は、互いに隣り合う少なくとも一組の構造体のうちの、一方の構造体の外壁が、他方の構造体の外壁より外側に位置するようにして、配置されていることを特徴とする建物。
【請求項３】
請求項１または２に記載の建物において、
４つの前記構造体は、互いに隣り合う一方の一対の構造体間の中心線と、他方の一対の構造体間の中心線とが平行離間するようにして、配置されていることを特徴とする建物。
【請求項４】
請求項１〜３のいずれか一項に記載の建物において、
４つの前記構造体は平面視において等しい大きさの正方形状に形成されていることを特徴とする建物。
【請求項５】
請求項１〜４のいずれか一項に記載の建物において、
前記連結部は、少なくとも一組の隣り合う構造体間に設けられた連結壁を含み、この連結壁は隣り合う構造体の外壁より内側に配置されていることを特徴とする建物。
【発明の詳細な説明】
【技術分野】
【０００１】
本発明は、住宅等の建物に関する。
【背景技術】
【０００２】
住宅等の建物の一例として、特許文献１に記載のものが知られている。この特許文献１に記載の建物は、平面視略矩形状に形成されており、外周部が構造壁である外壁で構成され、建物の内側には構造壁である内壁が設けられている。
そして、このような建物は、建物の外壁を構成する構造壁と、建物の内側の内壁を構成する構造壁とを構造設計に基いて配置するとともに、これら構造壁や構造壁間に架設した梁上に屋根を施工することによって構築される。
【特許文献１】特開平７−１８０３７３号公報
【発明の開示】
【発明が解決しようとする課題】
【０００３】
ところで、上記のような建物では、部屋の配置を変更したり、敷地形状に対応させて建物の平面形状を変更する場合、建物の外壁を構成する構造壁や建物の内側の内壁を構成する構造壁の配置位置や壁量等を設計変更しなければならず、手間がかかっていた。
【０００４】
本発明は上記事情に鑑みてなされたものであり、部屋の配置変更や、敷地形状に対応させた建物の平面形状の変更を容易に行うことができる建物を提供することを課題としている。
【課題を解決するための手段】
【０００５】
上記課題を解決するために、請求項１に記載の発明は、例えば図１に示すように、立方体または直方体の箱状をなす４つの構造体１〜４が、平面視において建物の略中央部回りに、互いに離間してかつ隣り合う構造体が平行になるように配置され、さらに、４つの構造体１〜４が連結部５によって連結されていることを特徴とする。
【０００６】
ここで、構造体１〜４は建築現場で箱状に構築してもよいし、工場等で箱状に製造したものを建築現場で設置してもよい。建築現場で構造体を構築する場合、軸組みで建物を構築する在来工法や、壁、床、屋根といった建築要素をパネル化して工場で製造しておき、これらパネルを現場で組み立てるパネル工法、さらにはツーバイフォー工法等に適用できる。
また、工場等で箱状に製造した構造体を建築現場で設置する場合、鉄骨を箱状に組立てた建物ユニットを現場で設置するユニット工法に適用できる。
また、前記連結部５は、４つの構造体１〜４の内側に位置する壁、床、梁、さらには、窓、戸等を含むものである。
さらに、４つの構造体１〜４を連結部５である壁（例えば、連結壁５ａ，５ｂ）で連結する場合、この壁は構造壁（耐力壁）であってもよいし、通常の壁であってもよい。
【０００７】
請求項１に記載の発明によれば、４つの構造体１〜４は構造強度的に独立しているので、これら構造体１〜４が、平面視において建物の略中央部回りに、互いに離間して配置され、４つの構造体１〜４が連結部５によって連結された建物は構造強度が確保されたものとなる。
したがって、４つの構造体１〜４の配置を変更するとともに４つの構造体１〜４を連結部５によって連結することによって、部屋の配置変更や、敷地形状に対応させた建物の平面形状の変更を容易に行うことができる。
【０００８】
請求項２に記載の発明は、例えば図１に示すように、請求項１に記載の建物において、
４つの前記構造体１〜４は、互いに隣り合う少なくとも一組の構造体（例えば、構造体１，４）のうちの、一方の構造体（例えば構造体１）の外壁（例えば外壁１ｂ）が、他方の構造体（例えば構造体４）の外壁（例えば外壁４ｂ）より外側に位置するようにして、配置されていることを特徴とする。
【０００９】
請求項２に記載の発明によれば、隣り合う構造体（例えば、構造体１，４）のうちの、一方の構造体（例えば構造体１）の外壁（例えば外壁１ｂ）が、他方の構造体の外壁より外側に位置しているので、この外側に位置にする一方の構造体（例えば構造体４）の外壁（例えば外壁４ｂ）と直交し、かつ、他方の構造体と対向する壁（外壁１ｃ）に開口部１ｄを形成することによって、一方の構造体（例えば構造体１）内へ通風や採光を容易に確保できる。
【００１０】
請求項３に記載の発明は、例えば図１に示すように、請求項１または２に記載の建物において、
４つの前記構造体１〜４は、互いに隣り合う一方の一対の構造体（例えば構造体１，２）間の中心線Ｌ12と、他方の一対の構造体（例えば構造体３，４）間の中心線Ｌ34とが平行離間するようにして、配置されていることを特徴とする。
【００１１】
請求項３に記載の発明によれば、互いに隣り合う一方の一対の構造体（例えば構造体１，２）間の中心線Ｌ12と、他方の一対の構造体（例えば構造体３，４）間の中心線Ｌ34とが平行離間しているので、構造体（例えば構造体１，２と構造体３，４）は雁行するように配置される。したがって、構造体間に風や光を取り入れることによって、これら風や光を構造体内に導くことが容易となる。
【００１２】
請求項４に記載の発明は、例えば図１に示すように、請求項１〜３のいずれか一項に記載の建物において、
４つの前記構造体１〜４は平面視において等しい大きさの正方形状に形成されていることを特徴とする。
【００１３】
請求項４に記載の発明によれば、４つの構造体１〜４が平面視において等しい大きさの正方形状に形成されているので、これら構造体１〜４の配置を建物の略中央部回りに変更することによって、建物の平面形状を同一としながらも、異なる平面プランの建物を構築できる。
【００１４】
請求項５に記載の発明は、例えば図１に示すように、請求項１〜４のいずれか一項に記載の建物において、
前記連結部５は、少なくとも一組の隣り合う構造体（例えば構造体３，４）間に設けられた連結壁（例えば連結壁５ａ）を含み、この連結壁５ａは隣り合う構造体（例えば構造体３，４）の外壁３ｂ，４ａより内側に配置されていることを特徴とする。
【００１５】
請求項５に記載の発明によれば、連結部５に含まれる連結壁５ａが構造体３，４の外壁３ｂ，４ａより内側に配置されているので、隣り合う構造体３，４の対向する壁３ｃ，４ｃと連結壁５ａとによって、平面視おいて凹所が形成される。したがって、この凹所を玄関ポーチや屋外デッキスペース３８等として有効に利用できる。
【発明の効果】
【００１６】
本発明によれば、４つの構造体が、平面視において建物の略中央部回りに、互いに離間してかつ隣り合う構造体が平行になるように配置され、さらに、４つの構造体が連結部によって連結されているので、構造体の配置を変更するとともに４つの構造体を連結部によって連結することによって、部屋の配置変更や、敷地形状に対応させた建物の平面形状の変更を容易に行うことができる。
【発明を実施するための最良の形態】
【００１７】
以下、図面を参照して本発明の実施の形態について説明する。
（第１の実施の形態）
図１は本発明に係る建物の１階の平面図、図２は２階の平面図である。
図１において、符号１〜４はそれぞれ構造体を示す。これら構造体１〜４はそれぞれ略直方体の箱状に形成されており、平面視においては等しい大きさの正方形状に形成されている。
【００１８】
構造体１〜４は、平面視において建物の略中央部回りに、互いに離間してかつ隣り合う構造体が平行になるように配置されている。また、４つの構造体１〜４は、互いに隣り合う少なくとも一組の構造体のうちの、一方の構造体の外壁が、他方の構造体の外壁より外側に位置するようにして、配置されている。
つまり、図１において互いに左右に隣り合う一組の構造体１，２のうちの、一方の構造体２の外壁２ａが、他方の構造体１の外壁１ａより外側に位置している。
また、図１において互いに上下に隣り合う一組の構造体２，３のうちの、一方の構造体３の外壁３ａが、他方の構造体２の外壁２ｂより外側に位置している。
さらに、図１において互いに左右に隣り合う一組の構造体３，４のうちの、一方の構造体４の外壁４ａが、他方の構造体３の外壁３ｂより外側に位置している。
また、図１において互いに上下に隣り合う一組の構造体４，１のうちの、一方の構造体１の外壁１ｂが、他方の構造体４の外壁４ｂより外側に位置している。
【００１９】
前記構造体１〜４は、互いに隣り合う一方の一対の構造体間の中心線と、他方の一対の構造体間の中心線とが平行離間するようにして、配置されている。
つまり、互いに隣り合う一方の一対の構造体１，２間の中心線Ｌ12と、他方の一対の構造体３，４間の中心線Ｌ34とは、一致しておらず、平行離間している。
また、互いに隣り合う一方の一対の構造体２，３間の中心線Ｌ23と、他方の一対の構造体１，４間の中心線Ｌ14とは、一致しておらず、平行離間している。
【００２０】
また、前記４つの構造体１〜４は連結部５によって連結されている。この連結部５は４つの構造体の内側に位置する壁、床、梁、さらには、窓、戸等を含むものである。例えば、連結部５の一部を構成する床は、４つの構造体１〜４の内側に設けられており、平面視略十字状に形成されている。
また、連結部５の一部を構成する連結壁５ａ，５ｂは隣り合う構造体３，４間と、隣り合う構造体１，４間にそれぞれ設けられている。連結壁５ａは、隣り合う構造体３，４の外壁３ｂ，４ａより内側に配置されている。また、連結壁５ｂは隣り合う構造体１，４の外壁１ｂ，４ｂより内側に配置されている。
さらに、隣り合う構造体１，２間には、連結部５の一部を構成する玄関戸５ｃが設けらられており、この玄関戸５ｃは隣り合う構造体１，２の外壁１ａ，２ａより内側に配置されている。また、隣り合う構造体２，３間には、連結部５の一部を構成する窓５ｄが設けられており、この窓５ｄは隣り合う構造体２，３のうち、構造体２の外壁２ｂとほぼ面一に設けられており、構造体３の外壁３ａより内側に配置されている。
【００２１】
前記構造体１内には、トイレ６や洗面室７等の水回り系の部屋と、玄関脇収納室８とが設けられている。玄関脇収納室８は玄関土間９と床レベルが等しくなっており、玄関土間９から行き来できるようになっている。
構造体２内には、キッチン１０や収納室１１が設けられている。この構造体２と構造体１との間に前記玄関土間９が設けられている。
構造体３内には、居間１２が設けられている。この構造体３と構造体２との間には食堂１３が設けられており、この食堂１３と居間１２とは連続している。
構造体４内には居間１４が設けられている。この構造体４と構造体３との間は、居間１２の一部１２ａとされており、これによって居間１４と居間１２とは連続している。
また、構造体１〜４を連結する連結部５には、玄関土間９、ホール１５、階段１６、前記食堂１３、居間１２の一部１２ａが設けられている。
【００２２】
前記構造体１〜４は、建築現場で、基礎上に床パネルを敷き込むとともに、この床パネル上に壁パネルを立設することにより構築され、各構造体１〜４を形成する壁には、適宜窓や、連結部５との間に行き来を行うための開口部が形成されている。
【００２３】
本発明の建物は、図２に示すように、平面視において正方形状の直方体の箱状をなす４つの構造体２１〜２４が、平面視において建物の略中央部回りに、互いに離間してかつ隣り合う構造体が平行になるように配置されている。これら構造体２１〜２４は、それぞれ前記構造体１〜４上に設けられている。また、構造体２１〜２４の平面視における大きさは構造体１〜４と等しくなっている。
【００２４】
したがって、４つの構造体２１〜２４は、互いに隣り合う少なくとも一組の構造体のうちの、一方の構造体の外壁が、他方の構造体の外壁より外側に位置するようにして、配置されている。
つまり、図２において互いに左右に隣り合う一組の構造体２１，２２のうちの、一方の構造体２２の外壁２２ａが、他方の構造体２１の外壁２１ａより外側に位置している。
また、図２において互いに上下に隣り合う一組の構造体２２，２３のうちの、一方の構造体２３の外壁２３ａが、他方の構造体２２の外壁２２ｂより外側に位置している。
さらに、図２において互いに左右に隣り合う一組の構造体２３，２４のうちの、一方の構造体２４の外壁２４ａが、他方の構造体２３の外壁２３ｂより外側に位置している。
また、図２において互いに上下に隣り合う一組の構造体２４，２１のうちの、一方の構造体２１の外壁２１ｂが、他方の構造体２４の外壁２４ｂより外側に位置している。
【００２５】
前記構造体２１〜２４は、互いに隣り合う一方の一対の構造体間の中心線と、他方の一対の構造体間の中心線とが平行離間するようにして、配置されている。
つまり、互いに隣り合う一方の一対の構造体２１，２２間の中心線Ｌ12と、他方の一対の構造体２３，２４間の中心線Ｌ34とは、一致しておらず、平行離間している。
また、互いに隣り合う一方の一対の構造体２２，２３間の中心線Ｌ23と、他方の一対の構造体２１，２４間の中心線Ｌ14とは、一致しておらず、平行離間している。
【００２６】
また、前記４つの構造体２１〜２４は連結部２５によって連結されている。この連結部５は４つの構造体の内側に位置する壁、床、梁、さらには、窓、戸等を含むものである。例えば、連結部２５の一部を構成する床は、４つの構造体１〜４の内側に設けられており、平面視略十字状に形成されている。
また、連結部２５の一部を構成する連結壁２５ａ，２５ｂは隣り合う構造体２１，２２間と、隣り合う構造体２１，２４間にそれぞれ設けられている。連結壁２５ａは、隣り合う構造体２１，２２の外壁２１ａ，２２ａより内側に配置されている。また、連結壁２５ｂは隣り合う構造体１，４の外壁２１ｂ，２４ｂより内側に配置されている。さらに、連結部２５の一部を構成する連結壁２５ｃは隣り合う構造体２２，２３間に設けられており、この連結壁２５ｃは、隣り合う構造体２２，２３の外壁２２ｂ，２３ａより内側に配置されている。
また、隣り合う構造体２２，２３間には、連結部２５の一部を構成する窓２５ｃが設けらられており、この窓２５ｃは隣り合う構造体２２，２３の外壁２２ｂ，２３ａより内側に配置されている。また、隣り合う構造体２３，２４間には、連結部２５の一部を構成する窓２５ｄが設けられており、この窓２５ｄは隣り合う構造体２３，２４の外壁２３ｂ，２４ａより内側に配置されている。
【００２７】
前記構造体２１内には、寝室２６が設けられており、構造体２２内には洗面室２７、トイレ２８，浴室２９等の水回り系の部屋と収納所３０が設けられている。構造体２１と構造体２２との間にはクローゼット３１が設けられており、このクローゼット３１には寝室２６および収納所３０の双方から出入りできるようになっている。
構造体２３内には寝室３２が設けられており、構造体２３と構造体２２との間には、インナーバルコニー３３が設けられている。
構造体２４は上方が開口しており、その内側にはバルコニー３４が設けられている。このバルコニー３４の外側の壁、つまり構造体２４の外壁２４ａ，２４ｂはバルコニー床面から１．６〜１．７ｍ程度となっている。このバルコニー床面は、前記寝室３２の床面より７０ｃｍ〜８０ｃｍ程度高くなっており、２階中央部にあるホール３５から階段３６を上って行き来できるようになっている。バルコニー床面が寝室３２の床面より高い分だけ１階の居間１４は他の居間１２等に比して天井高が高くなっている。
また、構造体２１〜２４を連結する連結部２５には、ホール３５、階段１６、インナーバルコニー３３、階段３６が設けられている。
【００２８】
前記構造体２１〜２４は、建築現場で、１階の壁パネル上に２階の床パネルを敷き込むとともに、この床パネル上に２階の壁パネルを立設することにより構築され、各構造体２１〜２４を形成する壁には、適宜窓や、連結部２５との間に行き来を行うための開口部が形成されている。
【００２９】
本実施の形態の建物によれば、１階の４つの構造体１〜４および２階の４つの構造体２１〜２４は構造強度的に独立しているので、これら構造体が、平面視において建物の略中央部回りに、互いに離間して配置され、１階の４つの構造体１〜４と２階の４つの構造体２１〜２４がそれぞれ連結部５，２５によって連結された建物は構造強度が確保されたものとなる。
したがって、１階の４つの構造体１〜４や２階の４つの構造体２１〜２４の配置を変更するとともにこれら構造体を連結部５，２５によって連結することによって、部屋の配置変更や、敷地形状に対応させた建物の平面形状の変更を容易に行うことができる。
【００３０】
例えば、図３（ａ），（ｂ）に示すように、図１および図２に示す建物を時計回りに９０°回転させることによって、部屋の配置変更や、敷地形状に対応させた建物の平面形状の変更を容易に行うことができる。また、図３（ｃ），（ｄ）に示すように、図１および図２に示す建物を時計回りに１８０°回転させることによっても、部屋の配置変更や、敷地形状に対応させた建物の平面形状の変更を容易に行うことができる。さらに、図３（ｅ），（ｆ）に示すように、図１および図２に示す建物を半時計回りに９０°回転させるとともに、その状態から上下を反転することによって部屋の配置変更や、敷地形状に対応させた建物の平面形状の変更を容易に行うことができる。
なお、図３は３種類の建物の平面図を示すもので、図３（ａ）は１種類目の建物の１階の平面図、図３（ｂ）は同建物の２階の平面図、図３（ｃ）は２種類目の建物の１階の平面図、図３（ｄ）は同建物の２階の平面図、図３（ｅ）は３種類目の建物の１階の平面図、図３（ｆ）は同建物の２階の平面図である。
【００３１】
また、図１に示すように、隣り合う構造体１，４のうちの、一方の構造体１の外壁１ｂが、他方の構造体４の外壁４ｂより外側に位置しているので、この外側に位置にする一方の構造体１の外壁１ｂと直交し、かつ、他方の構造体４と対向する壁（外壁）１ｃに開口部１ｄを形成することによって、一方の構造体１内へ通風や採光を容易に確保できる。
同様に、図２に示すように、隣り合う構造体２３，２２のうちの、一方の構造体２３の外壁２３ａが、他方の構造体２２の外壁２２ｂより外側に位置しているので、この外側に位置する一方の構造体２３の外壁２３ａと直交し、かつ、他方の構造体２２と対向する壁（外壁）２３ｃに開口部２３ｄを形成することによって、一方の構造体２３内へ通風や採光を容易に確保できる。さらに、同様に構造体２１の外壁２１ｂと直交し、かつ、構造体２４と対向する壁（外壁）２１ｃに開口部２１ｄを形成することによって、一方の構造体２１内へ通風や採光を容易に確保できる。
【００３２】
また、図１に示すように、互いに隣り合う一方の一対の構造体１，２（２，３）間の中心線Ｌ12（Ｌ23）と、他方の一対の構造体３，４（１，４）間の中心線Ｌ34（Ｌ14）とが平行離間しているので、構造体１〜４は雁行するように配置される。したがって、隣り合う構造体間に風や光を取り入れることによって、これら風や光を構造体１〜４内に導くことが容易となる。
【００３３】
さらに、４つの構造体１〜４（２１〜２４）が平面視において等しい大きさの正方形状に形成されているので、これら構造体１〜４（２１〜２４）の配置を建物の略中央部回りに変更することによって、建物の平面形状を同一としながらも、異なる平面プランの建物を構築できる。
加えて、図１に示すように、連結部５に含まれる連結壁５ａ（５ｂ）が構造体３，４（１，４）の外壁３ｂ，４ａ（１ｂ，４ｂ）より内側に配置されているので、隣り合う構造体３，４（１，４）の対向する壁３ｃ，４（１ｃ，４ｄ）と連結壁５ａ（５ｂ）とによって、平面視おいて凹所が形成される。したがって、この凹所を屋外デッキスペース３８（３９）として有効に利用できる。
また、図２に示すように、連結部２５に含まれる連結壁２５ｃが構造体２２，２３の外壁２２ｂ，２３ａより内側に配置されているので、隣り合う構造体２２，２３の対向する壁２２ｃ，２３ｃと連結壁２５ｃとによって、平面視において凹所が形成される。したがって、この凹所をインナーバルコニー３３として有効利用できる。
【００３４】
（第２の実施の形態）
図４は本発明に係る第２の実施の形態の建物を示すもので、その１階の平面図である。この図に示す建物が、前記図１に示した建物と構造的に異なる点は、構造体４１および構造体４３の形状、大きさである。なお、本例において図１に示すものと共通部分には同一符号を付してその説明を省略する。
本例の建物は、１階に４つの構造体４１，２，４３，４を備えている。これら構造体４１，２，４３，４は、平面視において建物の略中央部回りに、互いに離間してかつ隣り合う構造体が平行になるように配置されている。
構造体４１は、その外壁４１ｂが図１に示す構造体１の外壁１ｂより内側（図４において右側）に配置されている。つまり、構造体４１の外壁４１ａ、壁４１ｃが、図１に示す構造体１の外壁１ａ、壁１ｃより短くなっており、これによって構造体４１は構造体１より小さくなっている。
このように構造体４１を構造体１より小さくすることによって、構造体４１の外壁４１ｂと構造体４の外壁４ｂが平面視において、ほぼ面一に配置されている。
【００３５】
また、構造体４３は、その外壁４３ａ，４３ｂが図１に示す構造体４の外壁３ａ，３ｂより外側に配置されている。つまり、構造体４３の外壁４３ａ，４４ｂが図１に示す構造体３の外壁３ａ，３ｂより長くなっており、これによって構造体４３は構造体３より大きくなっている。
このように構造体４３を構造体３より大きくすることによって、構造体４３の外壁４３ｂと構造体４の外壁４ａとが平面視において、ほぼ面一に配置されている。また、構造体４３の外壁４３ａは、構造体２の外壁２ｂより大きく外側に配置されている。
【００３６】
また、構造体４１は、前記構造体１より小さいので、構造体４１内には玄関脇収納室８は設けられているが、トイレ６や洗面室７等の水回り系の部屋は、構造体２内に設けられている。
さらに、構造体４３は、前記構造体３より大きいので、構造体４３内には、大きな食堂４２が設けられるとともに、流し台４５の天板が食堂４３側に張出している。
なお、建物の２階には、図示は省略するが、１階の構造体４１，２，４３，４上に、平面視においてこれらと同形、同大の構造体がそれぞれ設けられている。
【００３７】
このような建物では、図１に示す建物と同様の効果を得ることができるのは勿論のこと、構造体４１を縮小する一方で、構造体４３を拡大することによって、敷地の大きさや形状に対応させて、建物の平面形状を容易に変更できる。
【００３８】
（第３の実施の形態）
図５は本発明に係る第３の実施の形態の建物を示すもので、その１階の平面図である。この図に示す建物が、前記図１に示した建物と構造的に異なる点は、構造体５３の形状、大きさである。なお、本例において図１に示すものと共通部分には同一符号を付してその説明を省略する。
本例の建物は、１階に４つの構造体１，２，５３，４を備えている。これら構造体１，２，５３，４は、平面視において建物の略中央部回りに、互いに離間してかつ隣り合う構造体が平行になるように配置されている。
構造体５３は、その外壁５３ｂが図１に示す構造体３の外壁３ｂより外側に配置されている。つまり、構造体５３の外壁５３ａが図１に示す構造体３の外壁３ａより長くなっており、これによって構造体５３は構造体３より大きくなっている。また、構造体５３内には、和室５４が設けられている。
なお、建物の２階には、図示は省略するが、１階の構造体１，２，５３，４上に、平面視においてこれらと同形、同大の構造体がそれぞれ設けられている。
【００３９】
このような建物では、図１に示す建物と同様の効果を得ることができるのは勿論のこと、構造体５３を拡大することによって、敷地の大きさや形状に対応させて、建物の平面形状を容易に変更できる。
【００４０】
（第４の実施の形態）
図６は本発明に係る第４の実施の形態の建物を示すもので、その１階の平面図である。この図に示す建物が、前記図１に示した建物と構造的に異なる点は、構造体６１の形状、大きさである。なお、本例において図１に示すものと共通部分には同一符号を付してその説明を省略する。
構造体６１は、その外壁６１ａ，６１ｂが図１に示す構造体１の外壁１ａ，１ｂより外側に配置されている。つまり、構造体６１の外壁６１ａ，６１ｂが図１に示す構造体１の外壁１ａ，１ｂより長くなっており、これによって構造体６１は構造体１より大きくなっている。
このように構造体６１を構造体１より大きくすることによって、構造体６１の外壁６１ａおよび外壁６１ｂは構造体２の外壁２ａおよび構造体４の外壁４ｂより大きく外側に配置されている。そして、この大きな構造体６１内にはガレージスペース６２が設けられている。
このような建物では、図１に示す建物と同様の効果を得ることができるのは勿論のこと、構造体６１を大きく拡大することによって、敷地の大きさや形状に対応させて、建物の平面形状を容易に変更でき、また、建物内にビルトインガレージ（ガレージスペース６２）を容易に設けることができる。
【図面の簡単な説明】
【００４１】
【図１】本発明に係る建物の第１の実施の形態を示すもので、建物の１階の平面図である。
【図２】同、２階の平面図である。
【図３】同、建物の平面形状を変更した例を示す平面図である。
【図４】本発明に係る建物の第２の実施の形態を示すもので、建物の１階の平面図である。
【図５】本発明に係る建物の第３の実施の形態を示すもので、建物の１階の平面図である。
【図６】本発明に係る建物の第４の実施の形態を示すもので、建物の１階の平面図である。
【符号の説明】
【００４２】
１〜４，２１〜２４，４１，４３，５３，６１  構造体
５，２５  連結部
５ａ，５ｂ，２５ａ，２５ｂ，２５ｃ  連結壁
【図１】
2005256528.tif 000003
【図２】
2005256528.tif 000004
【図３】
2005256528.tif 000005
【図４】
2005256528.tif 000006
【図５】
2005256528.tif 000007
【図６】
2005256528.tif 000008